(57)【要約】  本願は、受信したデジタルテレビ・データストリームの復号および構文解析を、Ｗｉ−Ｆｉホットスポット装置によって実行するステップと、オーディオストリーム、ビデオストリーム、およびシステムストリームを獲得するステップと、事前決定された形式に従って、前記獲得したオーディオストリーム、ビデオストリーム、およびシステムストリームのパッキングを実行するステップと、前記パッキングされたオーディオストリーム、ビデオストリーム、およびシステムストリームを、Ｗｉ−Ｆｉ技術を用いることによって端末へ送信するステップと、前記受信したオーディオストリーム、ビデオストリーム、およびシステムストリームを、前記端末によってデコードするとともに再生することを実行するステップと、を含むデジタルテレビ技術を実施するための方法を開示する。
2014513452.tif 000002
【特許請求の範囲】
【請求項１】
受信したデジタルテレビ・データストリームの復号および構文解析を、Ｗｉ−Ｆｉホットスポット装置によって実行するステップと、
オーディオストリーム、ビデオストリーム、およびシステムストリームを獲得するステップと、
事前決定された形式に従って、前記獲得したオーディオストリーム、ビデオストリーム、およびシステムストリームのパッキングを実行するステップと、
前記パッキングされたオーディオストリーム、ビデオストリーム、およびシステムストリームを、Ｗｉ−Ｆｉ技術を用いることによって端末へ送信するステップと、
前記受信したオーディオストリーム、ビデオストリーム、およびシステムストリームを、前記端末によってデコードするとともに再生することを実行するステップと、
を有するデジタルテレビ技術を実施するための方法。
【請求項２】
前記受信したデジタルテレビ・データストリームの復号および構文解析を実行するステップと、オーディオストリーム、ビデオストリーム、およびシステムストリームを獲得するステップとは、
前記受信したデジタルテレビ・データストリームの復号を実行するとともに、コンポジットストリームを獲得するステップと、
前記獲得したコンポジットストリームの構文解析を実行するとともに、前記オーディオストリーム、前記ビデオストリーム、および前記システムストリームを獲得するステップと、
をさらに有する請求項１に記載の方法。
【請求項３】
事前決定された形式に従って、前記獲得したオーディオストリーム、ビデオストリーム、およびシステムストリームのパッキングを実行するステップは、
Ｄｉｇｉｔａｌ  Ｌｉｖｉｎｇ  Ｎｅｔｗｏｒｋ  Ａｌｌｉａｎｃｅアーキテクチャによって規定された形式に従って、前記獲得したオーディオストリーム、ビデオストリーム、およびシステムストリームのパッキングを実行するステップを、
さらに含む請求項１に記載の方法。
【請求項４】
前記再生を実行するステップの前に、
前記デコードされたオーディオストリーム、ビデオストリーム、またはシステムストリームを、前記端末によって一定の期間キャッシングし、その後、再生を実行するステップをさらに有する、
請求項１から３のいずれか一項に記載の方法。
【請求項５】
アンテナと、
デジタルテレビ受信モジュールと、
送信モジュールと、を有し、
前記デジタルテレビ受信モジュールは、
前記アンテナを通じてデジタルテレビ・データストリームを受信し、
前記受信したデジタルテレビ・データストリームの復号および構文解析を実行し、
オーディオストリーム、ビデオストリーム、およびシステムストリームを獲得し、
事前決定された形式に従って、前記獲得したオーディオストリーム、ビデオストリーム、およびシステムストリームのパッキングを実行し、
前記パッキングされたオーディオストリーム、ビデオストリーム、およびシステムストリームを前記送信モジュールへと送信するように構成されるとともに、
前記送信モジュールは、前記パッキングされたオーディオストリーム、ビデオストリーム、およびシステムストリームを、Ｗｉ−Ｆｉ技術を用いることによって端末へ送信するように構成される、
Ｗｉ−Ｆｉホットスポット装置。
【請求項６】
前記デジタルテレビ受信モジュールは、
デジタルテレビ受信ユニットと、
コンディショナルアクセスユニットと、
アプリケーション処理ユニットと、を有し、
前記デジタルテレビ受信ユニットは、
前記アンテナを通じて前記デジタルテレビ・データストリームを受信し、
前記デジタルテレビ・データストリームを前記コンディショナルアクセスユニットへ送信し、
前記コンディショナルアクセスユニットによって返信されたコンポジットストリームを前記アプリケーション処理ユニットへ送信するように構成され、
前記コンディショナルアクセスユニットは、
前記受信したデジタルテレビ・データストリームの復号を実行し、
前記コンポジットストリームを獲得し、
前記コンポジットストリームを前記デジタルテレビ受信ユニットへ返信するように構成され、
前記アプリケーション処理ユニットは、
前記受信したコンポジットストリームの構文解析を実行し、
前記オーディオストリーム、前記ビデオストリーム、および前記システムストリームを獲得し、
前記事前決定された形式に従って、前記獲得したオーディオストリーム、ビデオストリーム、およびシステムストリームのパッキングを実行し、
前記パッキングされたオーディオストリーム、ビデオストリーム、およびシステムストリームを前記送信モジュールへ送信するように構成される、
または、
前記デジタルテレビ受信ユニットは、
前記アンテナを通じて前記デジタルテレビ・データストリームを受信し、
前記デジタルテレビ・データストリームを前記アプリケーション処理ユニットへ送信するように構成され、
前記アプリケーション処理ユニットは、
前記受信したデジタルテレビ・データストリームを前記コンディショナルアクセスユニットへ送信し、
前記コンディショナルアクセスユニットによって返信された前記コンポジットストリームの構文解析を実行し、
前記オーディオストリーム、前記ビデオストリーム、および前記システムストリームを獲得し、
前記事前決定された形式に従って、前記獲得したオーディオストリーム、ビデオストリーム、およびシステムストリームのパッキングを実行し、
前記パッキングされたオーディオストリーム、ビデオストリーム、およびシステムストリームを前記送信モジュールへと送信するように構成され、
前記コンディショナルアクセスユニットは、
前記受信したデジタルテレビ・データストリームの復号を実行し、
前記コンポジットストリームを獲得し、
前記コンポジットストリームを前記アプリケーション処理ユニットへ返信するように構成される、
請求項５に記載のＷｉ−Ｆｉホットスポット装置。
【請求項７】
前記デジタルテレビ受信ユニットと前記アプリケーション処理ユニットとの間のインターフェースは、セキュアデジタル入出力カードインターフェース、同期式シリアルインターフェース、およびユニバーサル・シリアル・バス・インターフェースの内のいずれか１つであり、
前記アプリケーション処理ユニットと前記送信モジュールとの間のインターフェースは、セキュアデジタル入出力カードインターフェースであり、
前記コンディショナルアクセスユニットと前記デジタルテレビ受信ユニットとの間のインターフェースまたは、前記コンディショナルアクセスユニットと前記アプリケーション処理ユニットとの間のインターフェースは、セキュア・デジタル・メモリカードインターフェース、およびユーザ識別カードインターフェースの内のいずれか１つである、
請求項６に記載のＷｉ−Ｆｉホットスポット装置。
【請求項８】
前記事前決定された形式は、Ｄｉｇｉｔａｌ  Ｌｉｖｉｎｇ  Ｎｅｔｗｏｒｋ  Ａｌｌｉａｎｃｅアーキテクチャによって規定された形式である、請求項５に記載のＷｉ−Ｆｉホットスポット装置。
【請求項９】
前記Ｗｉ−Ｆｉホットスポット装置は、モバイルワイヤレスルータである、請求項５または８に記載のＷｉ−Ｆｉホットスポット装置。
【発明の詳細な説明】
【技術分野】
【０００１】
本願発明は、発明の名称を「デジタルテレビ技術を実施するための方法およびＷｉ−Ｆｉホットスポット装置」として２０１１年３月９日付で中国特許庁に出願した中国特許出願第２０１１１００５６６３４．５号の優先権を主張するもので、その全体がこの引用によってここに組み込まれる。
【０００２】
本発明はデジタルテレビ技術に関するとともに、特に、デジタルテレビ技術およびＷｉ−Ｆｉホットスポット装置の実施のための方法に関する。
【背景技術】
【０００３】
従来技術において、もしも（携帯電話のような）端末を用いることによって、ユーザがデジタルテレビ（ＤＴＶ，  Ｄｉｇｉｔａｌ  Ｔｅｌｅｖｉｓｉｏｎ）プログラムを視聴したい場合、前記端末は、ＤＴＶ技術を扱うべきであり、すなわち、ＤＴＶ受信モジュールは、前記端末上に搭載される必要がある。図１は、ＤＴＶ技術を取り扱う既存の端末の構成の概略的な構造図である。図１において示されるように、ＤＴＶ受信モジュールは、アンテナを用いることによってベースステーションのようなネットワーク側デバイスからＤＴＶデータストリームを受信し、かつ、中央処理装置（ＣＰＵ，  Ｃｅｎｔｒａｌ  Ｐｒｏｃｅｓｓｉｎｇ  Ｕｎｉｔ）は、前記ＤＴＶデータストリームの構文解析およびデコードのような処理を実行するとともにタイムスタンプに従って再生を実行する。
【０００４】
本発明の実施形態を実施する処理の間、従来技術において少なくとも以下のような技術的な欠点が存在することを発明者は発見した。現在、ＤＴＶサービスの請求は、ＤＴＶ受信モジュールに基づき、すなわち、もしもユーザが複数の端末を使用することによってＤＴＶプログラムを視聴し得ることを望む場合、前記ユーザは、複数回支払いをしなくてはならない。加えて、ＤＴＶ受信モジュールが端末上に搭載されて初めて、ユーザは、ＤＴＶプログラムを視聴することができるとともに、前述の欠点は、前記ＤＴＶ技術の実施の複雑さを増加させる。
【発明の概要】
【発明が解決しようとする課題】
【０００５】
これを考慮して、本発明の主たる目的は、前記ＤＴＶ技術の実施の複雑さを減少させることのできるデジタルテレビ技術を実施するための方法を提供することにある。
【０００６】
本発明の別の目的は、前記デジタルテレビ技術の実施の複雑さを減少させることのできるＷｉ−Ｆｉホットスポット装置を提供することにある。
【課題を解決するための手段】
【０００７】
前記目的を達成するために、本発明の技術的解決手段は、以下のように実施される。
【０００８】
デジタルテレビ技術を実施するための方法は、
受信したデジタルテレビ・データストリームの復号および構文解析を、Ｗｉ−Ｆｉホットスポット装置によって実行するステップと、オーディオストリーム、ビデオストリーム、およびシステムストリームを獲得するステップと、事前決定された形式に従って、前記獲得したオーディオストリーム、ビデオストリーム、およびシステムストリームのパッキングを実行するステップと、前記パッキングされたオーディオストリーム、ビデオストリーム、およびシステムストリームを、Ｗｉ−Ｆｉ技術を用いることによって端末へ送信するステップと、前記受信したオーディオストリーム、ビデオストリーム、およびシステムストリームを、前記端末によってデコードするとともに再生することを実行するステップと、を含む。
【０００９】
Ｗｉ−Ｆｉホットスポット装置は、アンテナとデジタルテレビ受信モジュールと、送信モジュールとを含み、
前記デジタルテレビ受信モジュールは、前記アンテナを通じてデジタルテレビ・データストリームを受信し、前記受信したデジタルテレビ・データストリームの復号および構文解析を実行し、オーディオストリーム、ビデオストリーム、およびシステムストリームを獲得し、事前決定された形式に従って、前記獲得したオーディオストリーム、ビデオストリーム、およびシステムストリームのパッキングを実行し、前記パッキングされたオーディオストリーム、ビデオストリーム、およびシステムストリームを前記送信モジュールへと送信するように構成されるとともに、
前記送信モジュールは、前記パッキングされたオーディオストリーム、ビデオストリーム、およびシステムストリームを、Ｗｉ−Ｆｉ技術を用いることによって端末へ送信するように構成される。
【００１０】
本発明の前記技術的解決手段を用いることによって、デジタルテレビ受信モジュールは、Ｗｉ−Ｆｉホットスポット装置に搭載されるが、端末には搭載されないことがわかる。この手段において、もしもユーザが複数の端末を用いることによってデジタルテレビプログラムを視聴し得ることを望む場合、オーディオストリーム、ビデオストリーム、およびシステムストリームを、Ｗｉ−Ｆｉホットスポット装置を用いることによって前記複数の端末へ送信することのみが求められる。デジタルテレビサービスの前記請求は、前記デジタルテレビ受信モジュールに基づくため、前記ユーザは、ただ１度だけ支払いをする必要があり、且つ、デジタルテレビ受信モジュールが前記端末に搭載されているか否かによって限定されずに、前記ユーザは、いずれかの端末を用いて前記デジタルテレビプログラムを視聴してもよい。要するに、前記本発明の技術的解決手段を用いることによってデジタルテレビ技術の実施の複雑さは、一層減少させることができる。
【図面の簡単な説明】
【００１１】
【図１】図１は、既存のＤＴＶ技術を取り扱う端末の構成の概略的な構成図である。
【図２】図２は、本発明によるＤＴＶ技術を実施するための方法の実施形態のフローチャートである。
【図３】図３は、本発明によるＤＴＶ技術を実施するためのシステムの実施形態の構成の概略的な構成図である。
【図４】図４は、本発明によるＷｉＦｉホットスポット装置の実施形態の構成を示す概略的な構成図である。
【発明を実施するための形態】
【００１２】
従来技術における問題のために、本発明は、ＤＴＶ技術を実施するための改善された解決手段を提案する。すなわち、Ｗｉ−Ｆｉ（ＷｉＦｉ，  Ｗｉｒｅｌｅｓｓ  Ｆｉｄｅｌｉｔｙ）ホットスポット装置を設定し、前記Ｗｉ−Ｆｉホットスポット装置が、ＤＴＶデータストリームを受信するとともに、前記受信したＤＴＶデータストリームに従って、オーディオストリーム、ビデオストリーム、およびシステムストリームを獲得し、前記オーディオストリーム、前記ビデオストリーム、および前記システムストリームを端末へ送信するように構成される。前記端末は、前記受信したオーディオストリーム、ビデオストリーム、およびシステムストリームのデコードおよび再生を実行する。
【００１３】
前述の端末の数は、１又は２以上であってもよい。例えば、ユーザが携帯電話、ノート型パソコン、およびネットブックを用いることによってＤＴＶプログラムを視聴し得ることを望む場合、前記端末の数は３であり、すなわち、前記ＷｉＦｉホットスポット装置は、前記獲得したオーディオストリーム、ビデオストリーム、およびシステムストリームを、前記ユーザの前記携帯電話、ノート型パソコン、およびネットブックに送信する必要がある（携帯電話の画面は相対的に小さく、かつ前記画面の解像度は一般的に約６４０ｘ４８０又はそれ以下であり、かつノート型パソコンおよびネットブックと比較して視聴効果は悪い）。
【００１４】
前述のＷｉＦｉホットスポット装置は、完全に新しいデバイスであり、例えば、モバイルワイヤレスルータシリーズの製品の中の新製品であってもよい。前記ＷｉＦｉホットスポット装置は、流行りの外観設計を備えるとともに、使いやすさと無線モデムの携帯性とを備えた、ＷｉＦｉおよびモデム（Ｍｏｄｅｍ）の複合形式の製品である。
【００１５】
前記本発明の技術的解決手段をより明確に、且つより明瞭にするために、前記本発明の解決手段は、添付の図面と実施形態とを参照して、以下においてさらに詳細に説明される。
【００１６】
図２は、本発明によるＤＴＶ技術を実施するための方法の実施形態のフローチャートである。図２に図示されるように、前記方法は、以下のステップを含む。
【００１７】
ステップ２１：ＷｉＦｉホットスポット装置は、ＤＴＶデータストリームを受信し、前記ＤＴＶデータストリームの復号および構文解析を実行するとともに、オーディオストリーム、ビデオストリーム、およびシステムストリームを獲得する。
【００１８】
このステップにおいて、前記ＷｉＦｉホットスポット装置は、ベースステーションのようなネットワーク側デバイスから自身のアンテナを通じてＤＴＶデータストリームを受信し、前記ＤＴＶデータストリームの復号を実行し、かつコンポジットストリームを獲得してもよく、その後、前記獲得したコンポジットストリームの構文解析を実行し、かつオーディオストリーム、ビデオストリーム、およびシステムストリームを獲得してもよい。
【００１９】
復号および構文解析を実行する方法は、どちらも従来技術である。
【００２０】
ステップ２２：前記ＷｉＦｉホットスポット装置は、事前決定された形式に従って、前記獲得されたオーディオストリーム、ビデオストリーム、およびシステムストリームのパッキングを実行するとともに、前記パッキングされたオーディオストリーム、ビデオストリーム、およびシステムストリームを、Ｗｉ−Ｆｉ技術を用いることによって端末へ送信する。
【００２１】
このステップにおいて、前記ＷｉＦｉホットスポット装置は前記獲得したオーディオストリーム、ビデオストリーム、およびシステムストリームをＤｉｇｉｔａｌ  Ｌｉｖｉｎｇ  Ｎｅｔｗｏｒｋ  Ａｌｌｉａｎｃｅ（ＤＬＡＮ）アーキテクチャによって規定された形式、たとえば、前記リアルタイム・トランスポート・プロトコル（ＲＴＰ，  Ｒｅａｌ−Ｔｉｍｅ  Ｔｒａｎｓｐｏｒｔ  Ｐｒｏｔｏｃｏｌ）によって規定された形式に従ってパッキングを実行するとともに、前記パッキングされたオーディオストリーム、ビデオストリーム、およびシステムストリームをＷｉＦｉ技術を用いることによって端末へ送信してもよい。したがって、前記端末は、前記ＤＬＡＮアーキテクチャを取り扱うとともに、前記ＷｉＦｉ技術を取り扱う必要がある。パッキングを実行する方法は、従来技術である。
【００２２】
ステップ２３：前記端末は、前記受信したオーディオストリーム、ビデオストリーム、およびシステムストリームをデコードするとともに再生を実行する。
【００２３】
実際の適用において、この時点でデータストリームが中断されるケースを回避するために、このステップにおいて、前記デコードされたオーディオストリーム、ビデオストリーム、およびシステムストリームが一定の期間キャッシュされるとともに、その後に再生されてもよく、前記一定の期間は、通常２秒である。
【００２４】
図３は、前述の説明に基づいた、本発明によるＤＴＶ技術を実施するためのシステムの実施形態の構成の概略的な構成図である。図３において図示されるように、前記システムは、ＷｉＦｉホットスポット装置３１と、端末３２とを含む。
前記ＷｉＦｉホットスポット装置３１は、ベースステーションのようなネットワーク側デバイスから受信したＤＴＶデータストリームの復号および構文解析を実行し、オーディオストリーム、ビデオストリーム、およびシステムストリームを獲得し、事前決定された形式に従って、前記獲得したオーディオストリーム、ビデオストリーム、およびシステムストリームのパッキングを実行し、前記パッキングされたオーディオストリーム、ビデオストリーム、およびシステムストリームをＷｉＦｉ技術を用いることによって前記端末３２へ送信するように構成される。
前記端末３２は、前記受信したオーディオストリーム、ビデオストリーム、およびシステムストリームのデコードおよび再生を実行するように構成される。
【００２５】
前記端末３２の数は、１つであってもよく、かつ複数であってもよい。図３は２つの場合を図示している。
【００２６】
図４は、本発明によるＷｉＦｉホットスポット装置の実施形態の構成の概略的な構成図である。図４に示されるように、前記装置は、アンテナ４１と、ＤＴＶ受信モジュール４２と、送信モジュール４３と、を含む。
前記ＤＴＶ受信モジュール４２は、前記アンテナ４１を通じてＤＴＶデータストリームを受信し、前記受信したＤＴＶデータストリームの復号および構文解析を実行し、オーディオストリーム、ビデオストリーム、およびシステムストリームを獲得し、事前決定された形式に従って、前記獲得したオーディオストリーム、ビデオストリーム、およびシステムストリームのパッキングを実行し、前記パッキングされたオーディオストリーム、ビデオストリーム、およびシステムストリームを前記送信モジュール４３へ送信するように構成される。
前記送信モジュール４３は、前記パッキングされたオーディオストリーム、ビデオストリーム、およびシステムストリームをＷｉＦｉ技術を用いることによって端末へ送信するように構成される。
【００２７】
前述の事前決定された形式は、前記ＤＬＡＮアーキテクチャによって規定された形式であってもよい。
【００２８】
図４において図示されるように、前記ＤＴＶ受信モジュール４２は、ＤＴＶ受信ユニット４２１と、コンディショナルアクセス（ＣＡ，  Ｃｏｎｄｉｔｉｏｎａｌ  Ａｃｃｅｓｓ）ユニット４２２と、アプリケーション処理（ＡＰＰ，  Ａｐｐｌｉｃａｔｉｏｎ  Ｐｒｏｃｅｓｓｏｒ）ユニット４２３と、を特に含んでもよい。
前記ＤＴＶ受信ユニット４２１は、前記アンテナ４１を通じて前記ＤＴＶデータストリームを受信し、前記ＤＴＶデータストリームを前記ＣＡユニット４２２へ送信し、前記ＣＡユニット４２２によって返信されたコンポジットストリームを前記ＡＰＰユニット４２３へ送信するように構成される。
前記ＣＡユニット４２２は、前記受信したＤＴＶデータストリームの復号を実行し、前記コンポジットストリームを獲得し、前記コンポジットストリームを前記ＤＴＶ受信ユニット４２１へ返信するように構成される。
前記ＡＰＰユニット４２３は、前記受信したコンポジットストリームの構文解析を実行し、前記オーディオストリーム、前記ビデオストリーム、および前記システムストリームを獲得し、前記事前決定された形式に従って、前記獲得したオーディオストリーム、ビデオストリーム、およびシステムストリームのパッキングを実行し、前記パッキングされたオーディオストリーム、ビデオストリーム、およびシステムストリームを前記送信モジュール４３へ送信するように構成される。
または、前記ＤＴＶ受信ユニット４２１は、前記アンテナ４１を通じて前記ＤＴＶデータストリームを受信し、前記ＤＴＶデータストリームを前記ＡＰＰユニット４２３へ送信するように構成される。
前記ＡＰＰユニット４２３は、前記受信したＤＴＶデータストリームを前記ＣＡユニット４２２へ送信し、前記ＣＡユニット４２２によって返信されたコンポジットストリームの構文解析を実行し、前記オーディオストリーム、前記ビデオストリーム、および前記システムストリームを獲得し、前記事前決定された形式に従って、前記獲得したオーディオストリーム、ビデオストリーム、およびシステムストリームのパッキングを実行し、前記パッキングされたオーディオストリーム、ビデオストリーム、およびシステムストリームを前記送信モジュール４３へ送信するように構成される。
前記ＣＡユニット２２は、前記受信したＤＴＶデータストリームの復号を実行し、前記コンポジットストリームを獲得し、前記コンポジットストリームを前記ＡＰＰユニット４２３へ返信するように構成される。
【００２９】
前述の説明から、前記ＣＡユニッ４２２は、前記ＤＴＶ受信ユニット４２１に接続するか、または前記ＡＰＰユニット４２３に接続しても良いことがわかる。実際の適用において、複数のタイプの前記ＣＡユニット４２２の実施方法が存在し、例えば、中国モバイル・マルチメディア・ブロードキャスティング（ＣＭＭＢ，  Ｃｈｉｎａ  Ｍｏｂｉｌｅ  Ｍｕｌｔｉｍｅｄｉａ  Ｂｒｏａｄｃａｓｔｉｎｇ）標準は、主に国家広播電影電視総局（Ｓｔａｔｅ  Ａｄｍｉｎｉｓｔｒａｔｉｏｎ  ｏｆ  Ｒａｄｉｏ，  Ｆｉｌｍ  ａｎｄ  Ｔｅｌｅｖｉｓｉｏｎ）によって促進され、ビッグカード（ｂｉｇ  ｃａｒｄ）、スモールカード（ｓｍａｌｌ  ｃａｒｄ）、表面実装部品  （ＳＭＤ，  Ｓｕｒｆａｃｅ  Ｍｏｕｎｔｅｄ  Ｄｅｖｉｃｅｓ）、およびユーザ識別カード（ＳＩＭ，  Ｓｕｂｓｃｒｉｂｅｒ  Ｉｄｅｎｔｉｔｙ  Ｍｏｄｕｌｅ）のような実施方法が続けて促進された。
【００３０】
前記ＣＡユニット４２２の実施方法が、ビッグカードまたはスモールカードの場合、前記ＣＡユニット４２２と前記ＤＴＶ受信ユニット４２１との間のインターフェース、または前記ＣＡユニット４２２と前記ＡＰＰユニット４２３との間のインターフェースは、セキュア・デジタル・メモリーカード（ＳＤ，  Ｓｅｃｕｒｅ  Ｄｉｇｉｔａｌ  Ｍｅｍｏｒｙ  Ｃａｒｄ）インターフェースであってもよく、かつ、前記ＣＡユニット４２２の前記実施方法がＳＭＤまたはＳＩＭの場合、前記ＣＡユニット４２２と前記ＤＴＶ受信ユニット４２１との間の前記インターフェースまたは前記ＣＡユニット４２２と前記ＡＰＰユニット４２３との間の前記インターフェースは、ＳＩＭインターフェースであってもよい。
【００３１】
加えて、前記ＤＴＶ受信ユニット４２１と前記ＡＰＰユニット４２３との間のインターフェースは、セキュアデジタル入出力カード（ＳＤＩＯ，  Ｓｅｃｕｒｅ  Ｄｉｇｉｔａｌ  Ｉｎｐｕｔ  ａｎｄ  Ｏｕｔｐｕｔ  Ｃａｒｄ）インターフェース、同期式シリアルインターフェース（ＳＰＩ，  Ｓｅｒｉａｌ  Ｐｅｒｉｐｈｅｒａｌインターフェース）、またはユニバーサル・シリアル・バス（ＵＳＢ，  Ｕｎｉｖｅｒｓａｌ  Ｓｅｒｉａｌ  Ｂｕｓ）インターフェースであってもよく、かつ、前記ＡＰＰユニット４２３と前記送信モジュール４３との間のインターフェースは、ＳＤＩＯインターフェースであってもよい。
【００３２】
実際の適用において、前述のモジュールおよびユニットは、対応するソフトウェアの制御の下で全て動作する。
【００３３】
本発明の前記技術的解決手段を用いることによって、ＤＴＶ受信モジュールは、ＷｉＦｉホットスポット装置上に搭載されるが、端末上には搭載されない。この手段において、もしもユーザが複数の端末を用いることによってＤＴＶプログラムを視聴し得ることを望む場合、オーディオストリーム、ビデオストリーム、およびシステムストリームを前記ＷｉＦｉホットスポット装置を用いることによって前記複数の端末へ送信することのみが求められる。しかし前記ＤＴＶサービスの請求が前記ＤＴＶ受信モジュールに基づくため、前記ユーザは、１度だけ支払いをする必要があり、かつ、ＤＴＶ受信モジュールが前記端末に搭載されているか否かによってそれ以上限定されずに、前記ユーザは、いずれかの端末を用いて前記ＤＴＶプログラムを視聴してもよく、それによりＤＴＶ技術の実施の複雑さを一層減少させている。加えて、前記本発明の解決手段は、前記端末の構成のような追加の動作を実行する必要がなく、実施及び大衆化を単純かつ簡便にしている。
【００３４】
前述の説明は、本発明の例示的な実施形態にしかすぎず、本発明を限定することを意図するものではない。本発明の精神および原理内でなされる何らかの変形、等価な置換、または改良は、本発明の範囲に含まれるべきである。
【符号の説明】
【００３５】
３１  ＷｉＦｉホットスポット装置
３２  端末
４１  アンテナ
４２  受信モジュール
４３  送信モジュール
４２１  ＤＴＶ受信ユニット
４２２  コンディショナルアクセスユニット
４２３  アプリケーション処理ユニット 
【図１】
2014513452.tif 000003
【図２】
2014513452.tif 000004
【図３】
2014513452.tif 000005
【図４】
2014513452.tif 000006
【手続補正書】
【提出日】平成25年9月25日(2013.9.25)
【手続補正１】
【補正対象書類名】明細書
【補正対象項目名】００１０
【補正方法】変更
【補正の内容】
【００１０】
本発明の前記技術的解決手段を用いることによって、デジタルテレビ受信モジュールは、Ｗｉ−Ｆｉホットスポット装置に搭載されるが、端末には搭載されないことがわかる。この手段において、もしもユーザが複数の端末を用いることによってデジタルテレビプログラムを視聴し得ることを望む場合、オーディオストリーム、ビデオストリーム、およびシステムストリームを、Ｗｉ−Ｆｉホットスポット装置を用いることによって前記複数の端末へ送信することのみが求められる。デジタルテレビサービスの前記請求は、前記デジタルテレビ受信モジュールに基づくため、前記ユーザは、ただ１度だけ支払いをする必要があり、且つ、デジタルテレビ受信モジュールが前記端末に搭載されているか否かによって限定されずに、前記ユーザは、いずれかの端末を用いて前記デジタルテレビプログラムを視聴してもよい。要するに、前記本発明の技術的解決手段を用いることによってデジタルテレビ技術の実施の複雑さは、減少させることができる。
【手続補正２】
【補正対象書類名】明細書
【補正対象項目名】００１４
【補正方法】変更
【補正の内容】
【００１４】
前述のＷｉＦｉホットスポット装置は、完全に新しいデバイスであり、例えば、モバイルワイヤレスルータシリーズの製品の中の新製品であってもよい。前記ＷｉＦｉホットスポット装置は、流行りの外観設計を備えるとともに、使いやすさと無線モデムの携帯性とを備えた、ＷｉＦｉおよびモデムの複合形式の製品である。
【手続補正３】
【補正対象書類名】明細書
【補正対象項目名】００２１
【補正方法】変更
【補正の内容】
【００２１】
このステップにおいて、前記ＷｉＦｉホットスポット装置は前記獲得したオーディオストリーム、ビデオストリーム、およびシステムストリームをＤｉｇｉｔａｌ  Ｌｉｖｉｎｇ  Ｎｅｔｗｏｒｋ  Ａｌｌｉａｎｃｅ（ＤＬＡＮ）アーキテクチャによって規定された形式、たとえば、前記リアルタイム・トランスポート・プロトコル（ＲＴＰ）によって規定された形式に従ってパッキングを実行するとともに、前記パッキングされたオーディオストリーム、ビデオストリーム、およびシステムストリームをＷｉＦｉ技術を用いることによって端末へ送信してもよい。したがって、前記端末は、前記ＤＬＡＮアーキテクチャを取り扱うとともに、前記ＷｉＦｉ技術を取り扱う必要がある。パッキングを実行する方法は、従来技術である。
【手続補正４】
【補正対象書類名】明細書
【補正対象項目名】００２８
【補正方法】変更
【補正の内容】
【００２８】
図４において図示されるように、前記ＤＴＶ受信モジュール４２は、ＤＴＶ受信ユニット４２１と、コンディショナルアクセス（ＣＡ）ユニット４２２と、アプリケーション処理（ＡＰＰ）ユニット４２３と、を特に含んでもよい。
前記ＤＴＶ受信ユニット４２１は、前記アンテナ４１を通じて前記ＤＴＶデータストリームを受信し、前記ＤＴＶデータストリームを前記ＣＡユニット４２２へ送信し、前記ＣＡユニット４２２によって返信されたコンポジットストリームを前記ＡＰＰユニット４２３へ送信するように構成される。
前記ＣＡユニット４２２は、前記受信したＤＴＶデータストリームの復号を実行し、前記コンポジットストリームを獲得し、前記コンポジットストリームを前記ＤＴＶ受信ユニット４２１へ返信するように構成される。
前記ＡＰＰユニット４２３は、前記受信したコンポジットストリームの構文解析を実行し、前記オーディオストリーム、前記ビデオストリーム、および前記システムストリームを獲得し、前記事前決定された形式に従って、前記獲得したオーディオストリーム、ビデオストリーム、およびシステムストリームのパッキングを実行し、前記パッキングされたオーディオストリーム、ビデオストリーム、およびシステムストリームを前記送信モジュール４３へ送信するように構成される。
または、前記ＤＴＶ受信ユニット４２１は、前記アンテナ４１を通じて前記ＤＴＶデータストリームを受信し、前記ＤＴＶデータストリームを前記ＡＰＰユニット４２３へ送信するように構成される。
前記ＡＰＰユニット４２３は、前記受信したＤＴＶデータストリームを前記ＣＡユニット４２２へ送信し、前記ＣＡユニット４２２によって返信されたコンポジットストリームの構文解析を実行し、前記オーディオストリーム、前記ビデオストリーム、および前記システムストリームを獲得し、前記事前決定された形式に従って、前記獲得したオーディオストリーム、ビデオストリーム、およびシステムストリームのパッキングを実行し、前記パッキングされたオーディオストリーム、ビデオストリーム、およびシステムストリームを前記送信モジュール４３へ送信するように構成される。
前記ＣＡユニット２２は、前記受信したＤＴＶデータストリームの復号を実行し、前記コンポジットストリームを獲得し、前記コンポジットストリームを前記ＡＰＰユニット４２３へ返信するように構成される。
【手続補正５】
【補正対象書類名】明細書
【補正対象項目名】００２９
【補正方法】変更
【補正の内容】
【００２９】
前述の説明から、前記ＣＡユニッ４２２は、前記ＤＴＶ受信ユニット４２１に接続するか、または前記ＡＰＰユニット４２３に接続しても良いことがわかる。実際の適用において、複数のタイプの前記ＣＡユニット４２２の実施方法が存在し、例えば、中国モバイル・マルチメディア・ブロードキャスティング（ＣＭＭＢ）標準は、主に国家広播電影電視総局（Ｓｔａｔｅ  Ａｄｍｉｎｉｓｔｒａｔｉｏｎ  ｏｆ  Ｒａｄｉｏ，  Ｆｉｌｍ  ａｎｄ  Ｔｅｌｅｖｉｓｉｏｎ）によって促進され、ビッグカード（ｂｉｇ  ｃａｒｄ）、スモールカード（ｓｍａｌｌ  ｃａｒｄ）、表面実装部品  （ＳＭＤ）、およびユーザ識別カード（ＳＩＭ）のような実施方法が続けて促進された。
【手続補正６】
【補正対象書類名】明細書
【補正対象項目名】００３０
【補正方法】変更
【補正の内容】
【００３０】
前記ＣＡユニット４２２の実施方法が、ビッグカードまたはスモールカードの場合、前記ＣＡユニット４２２と前記ＤＴＶ受信ユニット４２１との間のインターフェース、または前記ＣＡユニット４２２と前記ＡＰＰユニット４２３との間のインターフェースは、セキュア・デジタル・メモリーカード（ＳＤ）インターフェースであってもよく、かつ、前記ＣＡユニット４２２の前記実施方法がＳＭＤまたはＳＩＭの場合、前記ＣＡユニット４２２と前記ＤＴＶ受信ユニット４２１との間の前記インターフェースまたは前記ＣＡユニット４２２と前記ＡＰＰユニット４２３との間の前記インターフェースは、ＳＩＭインターフェースであってもよい。
【手続補正７】
【補正対象書類名】明細書
【補正対象項目名】００３１
【補正方法】変更
【補正の内容】
【００３１】
加えて、前記ＤＴＶ受信ユニット４２１と前記ＡＰＰユニット４２３との間のインターフェースは、セキュアデジタル入出力カード（ＳＤＩＯ）インターフェース、同期式シリアルインターフェース（ＳＰＩ）、またはユニバーサル・シリアル・バス（ＵＳＢ）インターフェースであってもよく、かつ、前記ＡＰＰユニット４２３と前記送信モジュール４３との間のインターフェースは、ＳＤＩＯインターフェースであってもよい。
【手続補正８】
【補正対象書類名】明細書
【補正対象項目名】００３３
【補正方法】変更
【補正の内容】
【００３３】
本発明の前記技術的解決手段を用いることによって、ＤＴＶ受信モジュールは、ＷｉＦｉホットスポット装置上に搭載されるが、端末上には搭載されない。この手段において、もしもユーザが複数の端末を用いることによってＤＴＶプログラムを視聴し得ることを望む場合、オーディオストリーム、ビデオストリーム、およびシステムストリームを前記ＷｉＦｉホットスポット装置を用いることによって前記複数の端末へ送信することのみが求められる。しかし前記ＤＴＶサービスの請求が前記ＤＴＶ受信モジュールに基づくため、前記ユーザは、１度だけ支払いをする必要があり、かつ、ＤＴＶ受信モジュールが前記端末に搭載されているか否かによってそれ以上限定されずに、前記ユーザは、いずれかの端末を用いて前記ＤＴＶプログラムを視聴してもよく、それによりＤＴＶ技術の実施の複雑さを減少させている。加えて、前記本発明の解決手段は、前記端末の構成のような追加の動作を実行する必要がなく、実施及び大衆化を単純かつ簡便にしている。
【手続補正９】
【補正対象書類名】特許請求の範囲
【補正対象項目名】全文
【補正方法】変更
【補正の内容】
【特許請求の範囲】
【請求項１】
受信したデジタルテレビ・データストリームの復号および構文解析を、Ｗｉ−Ｆｉホットスポット装置によって実行するステップと、
オーディオストリーム、ビデオストリーム、およびシステムストリームを獲得するステップと、
事前決定された形式に従って、前記獲得したオーディオストリーム、ビデオストリーム、およびシステムストリームのパッキングを実行するステップと、
前記パッキングされたオーディオストリーム、ビデオストリーム、およびシステムストリームを、Ｗｉ−Ｆｉ技術を用いることによって端末へ送信するステップと、
前記受信したオーディオストリーム、ビデオストリーム、およびシステムストリームを、前記端末によってデコードするとともに再生することを実行するステップと、
を有するデジタルテレビ技術を実施するための方法。
【請求項２】
前記受信したデジタルテレビ・データストリームの復号および構文解析を実行するステップと、オーディオストリーム、ビデオストリーム、およびシステムストリームを獲得するステップとは、
前記受信したデジタルテレビ・データストリームの復号を実行するとともに、コンポジットストリームを獲得するステップと、
前記獲得したコンポジットストリームの構文解析を実行するとともに、前記オーディオストリーム、前記ビデオストリーム、および前記システムストリームを獲得するステップと、
をさらに有する請求項１に記載の方法。
【請求項３】
事前決定された形式に従って、前記獲得したオーディオストリーム、ビデオストリーム、およびシステムストリームのパッキングを実行するステップは、
Ｄｉｇｉｔａｌ  Ｌｉｖｉｎｇ  Ｎｅｔｗｏｒｋ  Ａｌｌｉａｎｃｅアーキテクチャによって規定された形式に従って、前記獲得したオーディオストリーム、ビデオストリーム、およびシステムストリームのパッキングを実行するステップを、
さらに含む請求項１または２に記載の方法。
【請求項４】
前記再生を実行するステップの前に、
前記デコードされたオーディオストリーム、ビデオストリーム、またはシステムストリームを、前記端末によって一定の期間キャッシングし、その後、再生を実行するステップをさらに有する、
請求項１から３のいずれか一項に記載の方法。
【請求項５】
アンテナと、
デジタルテレビ受信モジュールと、
送信モジュールと、を有し、
前記デジタルテレビ受信モジュールは、
前記アンテナを通じてデジタルテレビ・データストリームを受信し、
前記受信したデジタルテレビ・データストリームの復号および構文解析を実行し、
オーディオストリーム、ビデオストリーム、およびシステムストリームを獲得し、
事前決定された形式に従って、前記獲得したオーディオストリーム、ビデオストリーム、およびシステムストリームのパッキングを実行し、
前記パッキングされたオーディオストリーム、ビデオストリーム、およびシステムストリームを前記送信モジュールへと送信するように構成されるとともに、
前記送信モジュールは、前記パッキングされたオーディオストリーム、ビデオストリーム、およびシステムストリームを、Ｗｉ−Ｆｉ技術を用いることによって端末へ送信するように構成される、
Ｗｉ−Ｆｉホットスポット装置。
【請求項６】
前記デジタルテレビ受信モジュールは、
デジタルテレビ受信ユニットと、
コンディショナルアクセスユニットと、
アプリケーション処理ユニットと、を有し、
前記デジタルテレビ受信ユニットは、
前記アンテナを通じて前記デジタルテレビ・データストリームを受信し、
前記デジタルテレビ・データストリームを前記コンディショナルアクセスユニットへ送信し、
前記コンディショナルアクセスユニットによって返信されたコンポジットストリームを前記アプリケーション処理ユニットへ送信するように構成され、
前記コンディショナルアクセスユニットは、
前記受信したデジタルテレビ・データストリームの復号を実行し、
前記コンポジットストリームを獲得し、
前記コンポジットストリームを前記デジタルテレビ受信ユニットへ返信するように構成され、
前記アプリケーション処理ユニットは、
前記受信したコンポジットストリームの構文解析を実行し、
前記オーディオストリーム、前記ビデオストリーム、および前記システムストリームを獲得し、
前記事前決定された形式に従って、前記獲得したオーディオストリーム、ビデオストリーム、およびシステムストリームのパッキングを実行し、
前記パッキングされたオーディオストリーム、ビデオストリーム、およびシステムストリームを前記送信モジュールへ送信するように構成される、
または、
前記デジタルテレビ受信ユニットは、
前記アンテナを通じて前記デジタルテレビ・データストリームを受信し、
前記デジタルテレビ・データストリームを前記アプリケーション処理ユニットへ送信するように構成され、
前記アプリケーション処理ユニットは、
前記受信したデジタルテレビ・データストリームを前記コンディショナルアクセスユニットへ送信し、
前記コンディショナルアクセスユニットによって返信された前記コンポジットストリームの構文解析を実行し、
前記オーディオストリーム、前記ビデオストリーム、および前記システムストリームを獲得し、
前記事前決定された形式に従って、前記獲得したオーディオストリーム、ビデオストリーム、およびシステムストリームのパッキングを実行し、
前記パッキングされたオーディオストリーム、ビデオストリーム、およびシステムストリームを前記送信モジュールへと送信するように構成され、
前記コンディショナルアクセスユニットは、
前記受信したデジタルテレビ・データストリームの復号を実行し、
前記コンポジットストリームを獲得し、
前記コンポジットストリームを前記アプリケーション処理ユニットへ返信するように構成される、
請求項５に記載のＷｉ−Ｆｉホットスポット装置。
【請求項７】
前記デジタルテレビ受信ユニットと前記アプリケーション処理ユニットとの間のインターフェースは、セキュアデジタル入出力カードインターフェース、同期式シリアルインターフェース、およびユニバーサル・シリアル・バス・インターフェースの内のいずれか１つであり、
前記アプリケーション処理ユニットと前記送信モジュールとの間のインターフェースは、セキュアデジタル入出力カードインターフェースであり、
前記コンディショナルアクセスユニットと前記デジタルテレビ受信ユニットとの間のインターフェースまたは、前記コンディショナルアクセスユニットと前記アプリケーション処理ユニットとの間のインターフェースは、セキュア・デジタル・メモリカードインターフェース、およびユーザ識別カードインターフェースの内のいずれか１つである、
請求項６に記載のＷｉ−Ｆｉホットスポット装置。
【請求項８】
前記事前決定された形式は、Ｄｉｇｉｔａｌ  Ｌｉｖｉｎｇ  Ｎｅｔｗｏｒｋ  Ａｌｌｉａｎｃｅアーキテクチャによって規定された形式である、請求項５に記載のＷｉ−Ｆｉホットスポット装置。
【請求項９】
前記Ｗｉ−Ｆｉホットスポット装置は、モバイルワイヤレスルータである、請求項５または８に記載のＷｉ−Ｆｉホットスポット装置。
【国際調査報告】
2014513452.tif 000007
2014513452.tif 000008
2014513452.tif 000009
2014513452.tif 000010
2014513452.tif 000011
2014513452.tif 000012